【手続補正書】
【提出日】平成29年6月9日(2017.6.9)
【手続補正１】
【補正対象書類名】特許請求の範囲
【補正対象項目名】全文
【補正方法】変更
【補正の内容】
【特許請求の範囲】
【請求項１】
シランまたはシラン誘導体に共有結合している、シクロアルケン、ヘテロシクロアルケン、および必要に応じて置換されているそれらの改変体、ならびにそれらの組合せからなる群から選択される第１の複数の不飽和部分と官能基化分子との反応を介して該官能基化分子に共有結合した該シランまたはシラン誘導体を含む第１の表面を含む基材。
【請求項２】
前記第１の複数の不飽和部分が、ノルボルネン、ヘテロノルボルネン、ノルボルネン誘導体、ｔｒａｎｓ−シクロオクテン、ｔｒａｎｓ−シクロオクテン誘導体、および必要に応じて置換されているそれらの改変体、ならびにそれらの組合せからなる群から選択される、請求項１に記載の基材。
【請求項３】
前記第１の複数の不飽和部分が、必要に応じて置換されているノルボルネンである、請求項１または２に記載の基材。
【請求項４】
前記基材の前記第１の表面上の前記シランまたはシラン誘導体が、以下の式
【化２】
2016525466.tif 000001
を含むシラン化合物から調製され、
式中、Ｒ１、Ｒ２およびＲ３は、水素、ハロゲン、必要に応じて置換されているアルキル、必要に応じて置換されているアルコキシ、必要に応じて置換されているアリール、必要に応じて置換されているアリールオキシ、必要に応じて置換されているヘテロアリール、および必要に応じて置換されているヘテロアリールオキシからなる群からそれぞれ独立して選択される、請求項１〜３のいずれか１項に記載の基材。
【請求項５】
前記シランまたはシラン誘導体のケイ素原子と前記第１の複数の不飽和部分との間に共有結合しているリンカーをさらに含む、請求項１〜４のいずれか１項に記載の基材。
【請求項６】
前記リンカーが、必要に応じて置換されているアルキレン、必要に応じて置換されているヘテロアルキレン、必要に応じて置換されているシクロアルキレン、必要に応じて置換されているヘテロシクリレン、必要に応じて置換されているアリーレン、必要に応じて置換されているヘテロアリーレン、必要に応じて置換されているポリエチレングリコール、および開裂可能なリンカー、ならびにそれらの組合せからなる群から選択される、請求項５に記載の基材。
【請求項７】
前記官能基化分子が、ポリマー、ヒドロゲル、アミノ酸、ペプチド、ヌクレオシド、ヌクレオチド、ポリヌクレオチド、タンパク質、またはそれらの組合せを含む、請求項１〜６のいずれか１項に記載の基材。
【請求項８】
前記官能基化分子が、必要に応じて置換されているアルケニル、アジド、必要に応じて置換されているアミノ、カルボキシル、必要に応じて置換されているヒドラゾン、必要に応じて置換されているヒドラジン、ヒドロキシ、必要に応じて置換されているテトラゾール、必要に応じて置換されているテトラジン、ニトリルオキシド、ニトロン、およびチオールからなる群から選択される官能基を含み、但し、該官能基化分子はノルボルネンでも重合ノルボルネンでもない、請求項７に記載の基材。
【請求項９】
前記シラン化合物が、必要に応じて置換されているノルボルネンに共有結合した式
【化３】
2016525466.tif 000002
を含む、請求項４〜８のいずれか１項に記載の基材。
【請求項１０】
前記官能基化分子が、アジド、必要に応じて置換されているアミノ、必要に応じて置換されているアルケニル、必要に応じて置換されているヒドラゾン、必要に応じて置換されているヒドラジン、カルボキシル、ヒドロキシ、必要に応じて置換されているテトラゾール、必要に応じて置換されているテトラジン、ニトリルオキシド、ニトロンおよびチオール、ならびにそれらの組合せからなる群から選択される１つまたは複数の官能基を含むヒドロゲルまたはポリマーである、請求項１〜９のいずれか１項に記載の基材。
【請求項１１】
前記官能基化分子が、式（Ｉ）の繰り返し単位および式（ＩＩ）の繰り返し単位
【化１】
2016525466.tif 000003
（式中、
Ｒ１は、Ｈまたはアルキルであり、
ＲＡは、アジド、必要に応じて置換されているアミノ、必要に応じて置換されているアルケニル、必要に応じて置換されているヒドラゾン、必要に応じて置換されているヒドラジン、カルボキシル、ヒドロキシ、必要に応じて置換されているテトラゾール、必要に応じて置換されているテトラジン、ニトリルオキシド、ニトロンおよびチオールからなる群から選択され、
Ｘは、必要に応じて置換されているアルキレンリンカーまたは必要に応じて置換されているヘテロアルキレンリンカーであり、
Ｒ４、Ｒ４’、Ｒ５およびＲ５’は、Ｈ、Ｒ６、ＯＲ６、−Ｃ（Ｏ）ＯＲ６、−Ｃ（Ｏ）Ｒ６、−ＯＣ（Ｏ）Ｒ６、−Ｃ（Ｏ）ＮＲ７Ｒ８および−ＮＲ７Ｒ８からなる群からそれぞれ独立して選択され、
Ｒ６は、Ｈ、ＯＨ、アルキル、シクロアルキル、ヒドロキシアルキル、アリール、ヘテロアリール、およびヘテロシクリル、ならびに必要に応じて置換されているそれらの改変体からなる群から選択され、
Ｒ７およびＲ８は、それぞれ独立してＨまたはアルキルであるか、Ｒ７およびＲ８は、それらが結合している１個または複数の原子と一緒になって複素環を形成する）を含む、請求項１０に記載の基材。
【請求項１２】
Ｒ１は、Ｈまたは必要に応じて置換されているアルキルであり、
ＲＡは、アジド、必要に応じて置換されているアミノ、必要に応じて置換されているアルケニル、必要に応じて置換されているヒドラゾン、必要に応じて置換されているヒドラジン、カルボキシル、ヒドロキシ、必要に応じて置換されているテトラゾール、必要に応じて置換されているテトラジンおよびチオールからなる群から選択され、
Ｒ４は−Ｃ（Ｏ）ＮＨ２であり、
Ｒ５は、Ｈまたは必要に応じて置換されているアルキルであり、
それぞれのＲ４’およびＲ５’はＨであり、
Ｘは、必要に応じて置換されている−（ＣＨ２）−ｐであり、
ｐは、１〜５０の範囲の整数である、請求項１１に記載の基材。
【請求項１３】
前記官能基化分子が、ポリ（Ｎ−（５−アジドアセトアミジルペンチル）アクリルアミド−ｃｏ−アクリルアミド）を含む、請求項１〜１２のいずれか１項に記載の基材。
【請求項１４】
シクロアルケン、シクロアルキン、ヘテロシクロアルケン、およびヘテロシクロアルキン、ならびに必要に応じて置換されているそれらの改変体もしくは組合せからなる群から選択されるオリゴヌクレオチドの第２の複数の不飽和部分と前記官能基化分子との反応を介して前記官能基化分子に共有結合している該オリゴヌクレオチドをさらに含む、請求項１〜１３のいずれか１項に記載の基材。
【請求項１５】
前記第２の複数の不飽和部分が、必要に応じて置換されているビシクロノニン、好ましくはビシクロ［６．１．０］ノナ−４−インから選択される、請求項１４に記載の基材。
【請求項１６】
請求項１に記載の基材の第１の表面を調製する方法であって、
該第１の表面を含む該基材を用意する工程であって、該第１の表面が、該基材の該第１の表面に共有結合している、シクロアルケン、ヘテロシクロアルケン、および必要に応じて置換されているそれらの改変体、ならびにそれらの組合せからなる群から選択される第１の複数の不飽和部分を含むシランまたはシラン誘導体を含む、工程、および
官能基化分子の官能基を該第１の複数の不飽和部分と反応させることにより、該官能基を含む該官能基化分子を該シランまたはシラン誘導体に共有結合させる工程
を含む、方法。
【請求項１７】
シクロアルケン、シクロアルキン、ヘテロシクロアルケン、ヘテロシクロアルキン、および必要に応じて置換されているそれらの改変体、ならびにそれらの組合せからなる群から選択される第２の複数の不飽和部分を含むオリゴヌクレオチドを用意する工程、
該オリゴヌクレオチドの該第２の複数の不飽和部分を前記官能基化分子の前記官能基と反応させて、共有結合を形成する工程
をさらに含む、請求項１６に記載の方法。
【請求項１８】
前記官能基化分子が、前記シランまたはシラン誘導体と反応させる前にオリゴヌクレオチドに共有結合させられる、請求項１７に記載の方法。
【請求項１９】
前記官能基化分子が、前記シランまたはシラン誘導体と反応させた後にオリゴヌクレオチドに共有結合させられる、請求項１７に記載の方法。
【請求項２０】
前記第１の複数の不飽和部分が、必要に応じて置換されているノルボルネンである、請求項１６〜１９のいずれか１項に記載の方法。